【手続補正書】
【提出日】平成18年4月7日(2006.4.7)
【手続補正１】
【補正対象書類名】特許請求の範囲
【補正対象項目名】全文
【補正方法】変更
【補正の内容】
【特許請求の範囲】
【請求項１】
サブストレートを備え、該サブストレート上に少なくとも二つの金属層が配置されてなる、セキュリティ・ペーパー、銀行券、ＩＤカード等のためのセキュリティ素子であって、
前記複数の金属層が異なる光学濃度を有することを特徴とするセキュリティ素子。
【請求項２】
前記少なくとも二つの金属層が、前記サブストレートの同一側に配置されていることを特徴とする請求項１記載のセキュリティ素子。
【請求項３】
前記複数の金属層が直接的に上下に配置されていることを特徴とする請求項１または２記載のセキュリティ素子。
【請求項４】
前記少なくとも二つの金属層のうちの光学濃度の低い方の金属層が、前記サブストレート上の、少なくとも光学濃度の高い方の金属層が存在しない領域に存在することを特徴とする請求項１から３のいずれか１項記載のセキュリティ素子。
【請求項５】
前記少なくとも二つの金属層のうちの少なくとも光学濃度の高い方の金属層に白抜き部が形成されていることを特徴とする請求項１から４のいずれか１項記載のセキュリティ素子。
【請求項６】
前記白抜き部が、欧数字、模様、標章等の形状で、またはバーコードの形態で存在することを特徴とする請求項５記載のセキュリティ素子。
【請求項７】
前記光学濃度の低い方の層が全体に亘って存在することを特徴とする請求項１から６のいずれか１項記載のセキュリティ素子。
【請求項８】
前記光学濃度の高い方の層が最大３０％の透過度を有することを特徴とする請求項１から７のいずれか１項記載のセキュリティ素子。
【請求項９】
前記光学濃度の高い方の金属層が最大１０％の透過度を有し、前記光学濃度が低い方の金属層が最小５０％の透過度を有することを特徴とする請求項１から８のいずれか１項記載のセキュリティ素子。
【請求項１０】
前記複数の金属層が同一材料で形成されていることを特徴とする請求項１から９のいずれか１項記載のセキュリティ素子。
【請求項１１】
前記複数の金属層が異なる材料で形成されていることを特徴とする請求項１から９のいずれか１項記載のセキュリティ素子。
【請求項１２】
前記金属が、アルミニウム、銀、銅、金、鉄、クロム、ニッケル、コバルト、白金、パラディウム、チタン、インコネル、銀青銅、金青銅、または前記金属の少なくとも二つから作られる合金であることを特徴とする請求項１から１１のいずれか１項記載のセキュリティ素子。
【請求項１３】
前記少なくとも二つの金属層が異なる層厚さを有することを特徴とする請求項１から１２のいずれか１項記載のセキュリティ素子。
【請求項１４】
一つの金属層が不透明で、一つの金属素が半透明であることを特徴とする請求項１から１３のいずれか１項記載のセキュリティ素子。
【請求項１５】
前記少なくとも二つの金属層における白抜き部の一部が、一致する態様で存在することを特徴とする請求項１から１４のいずれか１項記載のセキュリティ素子。
【請求項１６】
前記光学濃度の高い方の層の厚さが約２０ｎｍから３００ｎｍまでの間であり、前記光学濃度の低い方の層の厚さが約２ｎｍから２０ｎｍまでの間であることを特徴とする請求項１から１５のいずれか１項記載のセキュリティ素子。
【請求項１７】
前記サブストレートがプラスチック層であることを特徴とする請求項１から１６のいずれか１項記載のセキュリティ素子。
【請求項１８】
前記サブストレートが、浮彫り構造内に回折構造を備えていることを特徴とする請求項１から１７のいずれか１項記載のセキュリティ素子。
【請求項１９】
前記サブストレートが、自立型プラスチックフィルムであることを特徴とする請求項１から１８のいずれか１項記載のセキュリティ素子。
【請求項２０】
前記サブストレートが、担体材料上に配置されていることを特徴とする請求項１から１９のいずれか１項記載のセキュリティ素子。
【請求項２１】
前記セキュリティ素子が転写素子であることを特徴とする請求項１から２０のいずれか１項記載のセキュリティ素子。
【請求項２２】
前記セキュリティ素子が自立型ラベルであることを特徴とする請求項１から２１のいずれか１項記載のセキュリティ素子。
【請求項２３】
前記セキュリティ素子が、円形、楕円形、星型、四角形、不等辺四辺形、または紐状の外形輪郭を有することを特徴とする請求項１から２２のいずれか１項記載のセキュリティ素子。
【請求項２４】
前記セキュリティ素子がセキュリティ・スレッドであることを特徴とする請求項１から２３のいずれか１項記載のセキュリティ素子。
【請求項２５】
前記セキュリティ素子が貼付けフィルムであることを特徴とする請求項１から２３のいずれか１項記載のセキュリティ素子。
【請求項２６】
請求項１から２５のいずれか１項記載のセキュリティ素子を少なくとも一つ備えていることを特徴とするセキュリティ・ペーパー。
【請求項２７】
前記セキュリティ素子が、前記セキュリティ・ペーパー内に少なくとも部分的に埋め込まれたセキュリティ・スレッドであることを特徴とする請求項２６記載のセキュリティ・ペーパー。
【請求項２８】
前記セキュリティ・ペーパーが一つの貫通孔を備え、前記セキュリティ素子が前記貫通孔の領域内に配置され、かつ該貫通孔の全縁からはみ出していることを特徴とする請求項２６記載のセキュリティ・ペーパー。
【請求項２９】
前記セキュリティ素子が、前記セキュリティ・ペーパーの表面上に施された転写素子または貼付けフィルムであることを特徴とする請求項２６記載のセキュリティ・ペーパー。
【請求項３０】
前記セキュリティ素子が、円形、楕円形、星型、四角形、不等辺四辺形、または紐状の外形輪郭を有することを特徴とする請求項２６から２９のいずれか１項記載のセキュリティ・ペーパー。
【請求項３１】
請求項１から２５のいずれか１項記載のセキュリティ素子を少なくとも一つ備えていることを特徴とする、銀行券、ＩＤカード等のような有価書類。
【請求項３２】
担体フォイルとサブストレートとを備え、該サブストレート上に少なくとも二つの金属層が配置されてなるセキュリティ素子を作成するための転写材料または貼付けフィルムにおいて、
前記複数の金属層が異なる光学濃度を有することを特徴とする転写材料または貼付けフィルム。
【請求項３３】
サブストレートを備え、該サブストレート上に、異なる光学濃度を有する少なくとも二つの金属層が配置されてなるセキュリティ・ペーパー、銀行券、ＩＤカード等のためのセキュリティ素子の作成方法であって、
ａ１）自立型プラスチックフィルムの形態の、または上にプラスチック層が配置された担体材料の形態のサブストレートを提供し、
ｂ１）必要に応じて、多量の色素を含む印刷インクを用いて、前記サブストレートに欧数字、模様、標章等を印刷し、かつ前記インクを、多孔質の盛り上がったインク層が形成されるように乾燥させ、
ｃ１）前記必要に応じて印刷が施されているサブストレート上に、光学濃度の低い方の金属層を施し、
ｄ１）多量の色素を含む印刷インクを用いて、前記光学濃度の低い方の金属層に欧数字、模様、標章等を印刷し、かつ前記インクを、多孔質の盛り上がったインク層が形成されるように乾燥させ、
ｅ１）前記光学濃度の低い方の金属層上に、光学濃度の高い方の金属層を施し、
ｆ１）液体を用いた洗浄により、場合により機械的動作を組み合わせて、施されているインク層と、該インク層上に乗っているかあるいは該インク層に潜りこんでいるかしている、単数又は複数の金属層とを除去し、
ｇ１）前記サブストレートを乾燥させ、必要に応じて所定のサイズに切断する、
諸ステップを含む、あるいは、
ａ２）自立型プラスチックフィルムの形態の、または上にプラスチック層が配置された担体材料の形態のサブストレートを提供し、
ｂ２）多量の色素を含む印刷インクを用いて、前記サブストレートに欧数字、模様、標章等を印刷し、かつ前記インクを、多孔質の盛り上がったインク層が形成されるように乾燥させ、
ｃ２）前記サブストレート上に、光学濃度の高い方の金属層を施し、
ｄ２）液体を用いた洗浄により、場合により機械的動作を組み合わせて、施されているインク層と、該インク層上に乗っているかあるいは該インク層に潜りこんでいるかしている、単数又は複数の金属層とを除去し、
ｅ２）前記光学濃度の高い方の金属層上に、光学濃度の低い方の金属層を施し、
ｆ２）必要に応じて、前記サブストレートを所定のサイズに切断する、
諸ステップを含むことを特徴とするセキュリティ素子の作成方法。
【請求項３４】
前記金属層が、必要に応じてマスクを用いて、蒸着により施されることを特徴とする請求項３３記載の方法。
【請求項３５】
前記サブストレートがエンドレスリボンの形態で提供され、前記方法が連続的に行なわれることを特徴とする請求項３３または３４記載の方法。
【請求項３６】
前記インクが水溶性であり、前記洗浄のために水が用いられることを特徴とする請求項３３から３５のいずれか１項記載の方法。
【請求項３７】
前記サブストレートの印刷がグラビア印刷により行なわれることを特徴とする請求項３３から３６のいずれか１項記載の方法。
【請求項３８】
前記ステップａ１）またはａ２）において、前記プラスチック層が、エンドレス・プラスチックフィルムの形態で提供され、かつ前記ステップｇ１）またはｆ２）において、所定の幅を有するセキュリティ・スレッドに切断されることを特徴とする請求項３３から３７のいずれか１項記載の方法。
【請求項３９】
前記ステップａ１）またはａ２）において、前記プラスチック層が、前記ステップｇ１）またはｆ２）において所定の幅の紐状体に切断される転写材料を形成するように、特別に調製された担体材料上に配置されることを特徴とする請求項３３から３８のいずれか１項記載の方法。
【請求項４０】
前記ステップｂ１）またはｂ２）に先立って、回折構造が前記サブストレートに打ち出されることを特徴とする請求項３３から３９のいずれか１項記載の方法。
【請求項４１】
有価書類を作成するためのセキュリティ・ペーパーの作成方法であって、
前記セキュリティ・ペーパーの作成時に、請求項３３から４０のいずれか１項記載の方法で作成されたセキュリティ・スレッドを埋め込むことを特徴とするセキュリティ・ペーパーの作成方法。
【請求項４２】
有価書類を作成するためのセキュリティ・ペーパーの作成方法であって、
請求項３３から４０のいずれか１項記載の方法で作成されたセキュリティ素子を、仕上げられたセキュリティ・ペーパーの表面上に施すことを特徴とするセキュリティ・ペーパーの作成方法。
【請求項４３】
後に前記セキュリティ素子によって少なくとも片側が閉塞される開口を、製紙時に前記セキュリティ・ペーパーに組み込むことを特徴とする請求項４２記載の方法。